(57)【要約】【課題】外部から玄関に入ってきた場合に、直ぐに手を洗うことができ、また、手洗いの習慣を子供につけさせることができる玄関構造を提供する。【解決手段】玄関ホール１７に洗面台２２ａを備えた洗面コーナ２２が設けられ、前記玄関ホール１７に隣接して部屋７が設けられ、この部屋７と前記玄関ホール１７とを仕切る壁１９に前記部屋７と玄関ホール１７とを行き来するための開口部２０が形成され、この開口部２０に近接して前記洗面コーナ１７が設けられているので、外部から玄関に入ってきた場合に、洗面コーナ２２で直ぐに手を洗うことができ、また、手洗いの習慣を子供つけさせることができる。また、部屋７を子供部屋とすることによって、子供に手洗いをしてから自分の部屋に入るという習慣をつけさせることができる。【選択図】図１
2008202224.tif 000002
【特許請求の範囲】
【請求項１】
玄関ホールに洗面台を備えた洗面コーナが設けられ、前記玄関ホールに隣接して部屋が設けられ、
この部屋と前記玄関ホールとを仕切る壁に前記部屋と玄関ホールとを行き来するための開口部が形成され、
この開口部に近接して前記洗面コーナが設けられていることを特徴とする玄関構造。
【請求項２】
請求項１に記載の玄関構造において、
前記玄関ホールには、玄関土間に対向する対向壁が設けられており、この対向壁の裏側に前記洗面コーナが設けられていることを特徴とする玄関構造。
【請求項３】
請求項２に記載の玄関構造において、
前記対向壁は、前記開口部が設けられた壁と平行に設けられており、この壁と対向壁との間に前記洗面コーナが設けられていることを特徴とする玄関構造。
【請求項４】
請求項３に記載の玄関構造において、
前記開口部は引戸によって開閉されるようになっていることを特徴とする玄関構造。
【請求項５】
請求項３または４に記載の玄関構造において、
前記玄関ホールに隣接してトイレが設けられており、
このトイレに玄関ホールから出入りするための戸が、前記洗面コーナに対向して設けられていることを特徴とする玄関構造。
【発明の詳細な説明】
【技術分野】
【０００１】
本発明は、住宅等の建物に設けられる玄関構造に関する。
【背景技術】
【０００２】
住宅等の建物の玄関は、例えば特許文献１に記載されるように、玄関土間とこの玄関ホールとを備えており、玄関ホールは居間等の居室に直接繋がるかあるいは廊下等を介して繋がっている。
【特許文献１】特開２０００−１３６６４２号公報
【発明の開示】
【発明が解決しようとする課題】
【０００３】
ところで、比較的幼い子供は庭や公園等で手が土等によって汚れる場合が多く、そのまま玄関から建物内に入ってくることが多い。この場合、子供は建物内に設けられた洗面所で手を洗うことができるが、玄関から洗面所の間で建物内の家具や壁等を汚してしまう場合ある。また、手を洗うことをつい忘れてしまうこともある。
【０００４】
本発明は上記事情に鑑みてなされたものであり、外部から玄関に入ってきた場合に、直ぐに手を洗うことができ、また、手洗いの習慣を子供につけさせることができる玄関構造を提供することを課題としている。
【課題を解決するための手段】
【０００５】
上記課題を解決するために、請求項１に記載の発明は、例えば図１に示すように、玄関ホール１７に洗面台２２ａを備えた洗面コーナ２２が設けられ、前記玄関ホール１７に隣接して部屋７が設けられ、
この部屋７と前記玄関ホール１７とを仕切る壁１９に前記部屋７と玄関ホール１７とを行き来するための開口部２０が形成され、
この開口部２０に近接して前記洗面コーナ１７が設けられていることを特徴とする。
【０００６】
ここで、前記玄関ホール１７には通路１３や、住人の共有場所である居間等が接続され、玄関ホール１７からは通常通路や居間等に出入りするようになっている。
【０００７】
請求項１に記載の発明によれば、玄関ホール１７と部屋７とを仕切る壁１９に形成された開口部２０に近接して洗面コーナ２２が設けられているので、外部から玄関に入ってきた場合に、洗面コーナ２２で直ぐに手を洗うことができ、また、手洗いの習慣を子供つけさせることができる。また、部屋７を子供部屋とすることによって、子供に手洗いをしてから自分の部屋に入るという習慣をつけさせることができる。
【０００８】
請求項２に記載の発明は、請求項１に記載の玄関構造において、
前記玄関ホール１７には、玄関土間２３に対向する対向壁２４が設けられており、この対向壁２４の裏側に前記洗面コーナ２２が設けられていることを特徴とする。
【０００９】
請求項２に記載の発明によれば、玄関土間２３に対向して設けられた対向壁２４の裏側に洗面コーナ２２が設けられているので、玄関土間２３に訪れた来客の視線に対して洗面コーナ２２を隠すことができる。
【００１０】
請求項３に記載の発明は、請求項２に記載の玄関構造において、
前記対向壁２４は、前記開口部２０が設けられた壁１９と平行に設けられており、この壁１９と対向壁２４との間に前記洗面コーナ２２が設けられていることを特徴とする。
【００１１】
請求項３に記載の発明によれば、開口部２０が設けられた壁１９と対向壁２４との間に洗面コーナ２２が設けられているので、玄関ホール１７にある洗面コーナ２２をある程度隔離した空間とすることができ、子供に集中して手洗いをさせることができる。
【００１２】
請求項４に記載の発明は、請求項３に記載の玄関構造において、
前記開口部２０は引戸２１によって開閉されるようになっていることを特徴とする。
【００１３】
請求項４に記載の発明によれば、開口部２０に近接して洗面コーナ２２が設けられているが、この開口部２０は引戸２１によって開閉されるようになっているので、開口部２０を開閉する際に洗面コーナ２２に立つ住人が邪魔になったりすることがなく、スムーズに開口部２０を開閉できる。
【００１４】
請求項５に記載の発明は、請求項３または４に記載の玄関構造において、
前記玄関ホール１７に隣接してトイレ２５が設けられており、
このトイレ２５に玄関ホール１７から出入りするための戸２５ａが、前記洗面コーナ２２に対向して設けられていることを特徴とする。
【００１５】
請求項５に記載の発明によれば、トイレ２５に出入りするための戸２５ａが、洗面コーナ２２に対向して設けられているので、トイレ２５を使用した住人は洗面コーナ２２でも直ぐに手を洗うことができる。
【発明の効果】
【００１６】
本発明によれば、建物本体に設けられた第１部屋に通じる玄関ホールに、洗面台を備えた洗面コーナが設けられており、この玄関ホールに隣接して前記第１部屋より小さい第２部屋が設けられ、この第２部屋と前記玄関ホールとを仕切る壁に開口部が形成されており、この開口部に近接して前記洗面コーナが設けられているので、外部から玄関に入ってきた場合に、洗面コーナで直ぐに手を洗うことができ、また、手洗いの習慣を子供つけさせることができる。また、第２部屋を子供部屋とすることによって、子供に手洗いをしてから自分の部屋に入るという習慣をつけさせることができる。
【発明を実施するための最良の形態】
【００１７】
以下図面を参照して本発明の実施の形態について説明する。
図１は本発明に係る玄関構造を備えた建物を示している。この建物は２階建てのものであり、建物本体１のほぼ中央部に、１階床から２階天井まで吹き抜ける吹抜け空間２が設けられている。吹抜け空間２は平面視において東西に長尺な長方形状のものであり、南北方向において建物本体２の中央部に設けられ、東西方向において略中央部で若干西側よりに設けられている。
【００１８】
建物本体１には、吹抜け空間２を南北に挟んで居室３とキッチン４とが設けられており、キッチン４の東側に隣接して食堂５が設けられている。キッチン４内の食堂５側には調理台６が設けられており、その上方は１階の天井まで空間となっている。したがって、キッチン４からは食堂５が見渡せるようになっている。
食堂５の東側に隣接して部屋７が設けられている。この部屋７と食堂５との間には３連の引戸８が設けられており、この引戸８を開けることによって、キッチン４から部屋７を見渡せるようになっている。部屋７は子供部屋として使用されており、キッチン４に立つ母親が部屋７の子供の様子を知ることができる。なお、引戸８は１階天井までの高さを有する大きなものである。
また、キッチン４および食堂５と、吹抜け空間２とは仕切られておらず、横方向に連続した空間となっている。
【００１９】
前記居室３はリビングとして使用される部屋であり、この居室３と吹抜け空間２との境界部には透明仕切壁１０が設けられている。この透明仕切壁１０は、厚さ１０ｍｍの透明な強化ガラス板で形成されたものであり、その上端部は１階天井まで達している。また、前記吹抜け空間２には、１階床から２階床にかけて直階段１１が設けられている。この直階段の一方の側部には階段手摺１１ａが設けられており、他方の側部は前記透明仕切壁１０に接している。
直階段１１は鋼製の桁材を１階床と２階床とにかけ、この桁材に複数の段板を桁材の長手方向に所定間隔で取り付けたものであり、蹴込板は備えていない。階段手摺１１は、フレームで形成されたもので、段板の端部に立設された手摺子と、手摺子の上端に取り付けられた棒状の手摺とで構成されている。したがって、キッチン４から直階段１１を見ると、この直階段１１、透明仕切壁１０を通して居室３を見れるようになっている。
【００２０】
また、前記透明仕切壁１０の西側の横には、吹抜け空間２と居室３とを行き来するための開口部１２が設けられている。また、透明仕切壁１０の東側の横には、食堂５と居室３との間に設けられた通路１３から居室３に出入りするための開口部１４が設けられている。
また、居室３の南側にある外壁には、掃出し窓１５が設けられており、この掃出し窓１５は透明仕切壁１０に対向している。掃出し窓１５は図３に示すように、１階の天井まで達する縦長の大きな引違い式の窓であり、居室３の南側の壁ほぼ全体に亙って設けられている。この掃出し窓１５の外側には、テラス１６が設けられている。
【００２１】
そして、上記のような構成の建物において、本発明に係る玄関構造は以下のように構成されている。
すなわち、前記通路１３の東側に隣接して玄関ホール１７が設けられており、この玄関ホール１７の北側に隣接して子供部屋となる部屋７が設けられている。玄関ホール１７と通路１３とを仕切る壁１８にはドア１８ａが設けられている。
また、玄関ホール１７と部屋７とを仕切る壁１９には、部屋７と玄関ホール１７とを行き来するための開口部２０が形成されており、この開口部２０は引戸２１によって開閉されるようになっている。
【００２２】
また、玄関ホール１７の奥側（北側）には、洗面台２２ａを備えた洗面コーナ２２が以下のようにして設けられている。
すなわち、玄関ホール１７には、玄関土間２３に対向して対向壁２４が前記壁１９と平行離間して設けられている。この対向壁２４は前記壁１８のドア１８ａが設けられた部位から玄関ホール１７の中央部に向けて突出するものである。そして、この対向壁２４と前記壁１９との間に前記洗面コーナ２２が設けられている。洗面コーナ２２はドア等がないオープンな空間であり、その正面と両側面とが前記壁１８、１９、対向壁２４によって囲まれている。
また、この洗面コーナ２２は前記壁１９に設けられた開口部２０の西側に近接して設けられている。
さらに、玄関ホール１７の東側に隣接してトイレ２５が設けられており、このトイレ２５に玄関ホール１７から出入りするためのドア（戸）２５ａが、洗面コーナ２２に対向して設けられている。
【００２３】
本実施の形態によれば、玄関ホール１７と部屋７とを仕切る壁１９に形成された開口部２０に近接して洗面コーナ２２が設けられているので、外部から玄関に入ってきた場合に、洗面コーナ２２で直ぐに手を洗うことができ、また、手洗いの習慣を子供つけさせることができる。また、部屋７を子供部屋とすることによって、子供に手洗いをしてから自分の部屋に入るという習慣をつけさせることができる。
また、玄関土間２３に対向して設けられた対向壁２４の裏側に洗面コーナ２２が設けられているので、玄関土間２３に訪れた来客の視線に対して洗面コーナ２２を隠すことができる。
さらに、開口部２０が設けられた壁１９と対向壁２４との間に洗面コーナ２２が設けられているので、玄関ホール１７にある洗面コーナ２２をある程度隔離した空間とすることができ、子供に集中して手洗いをさせることができる。
また、開口部２０に近接して洗面コーナ２２が設けられているが、この開口部２０は引戸２１によって開閉されるようになっているので、開口部２０を開閉する際に洗面コーナ２２に立つ住人が邪魔になったりすることがなく、スムーズに開口部２０を開閉できる。
また、トイレ２８に出入りするためのドア２５ａが、洗面コーナ２２に対向して設けられているので、トイレ２８を使用した住人は洗面コーナ２２でも直ぐに手を洗うことができる。
【図面の簡単な説明】
【００２４】
【図１】本発明に係る玄関構造を備えた建物の１階の平面図である。
【符号の説明】
【００２５】
７  部屋
１７  玄関ホール
１９  壁
２０  開口部
２１  引戸
２２  洗面コーナ
２２ａ  洗面台
２３  玄関土間
２４  対向壁
２５  トイレ
２５ａ  ドア(戸)
【図１】
2008202224.tif 000003